【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】  インピーダンス特徴付けのための装置であって、該装置は、以下：
管腔（１３）を備える細長送達デバイス（１２）であって、該細長送達デバイスは、組織内で操作可能である、細長送達デバイス；
複数の導電性経路を通るインピーダンスを測定するための、展開状態において該細長送達デバイスから展開可能な複数の感知部材（２２ｍ）を含む、アレイ；
該複数の感知部材に操作可能に接続された切り替えデバイスであって、該切り替えデバイスが、該複数の感知部材が展開状態にある間、複数の導電性経路を通るインピーダンスを測定するために、該感知部材をオンまたはオフに選択的に切り替えるためのものである、切り替えデバイス、
を備え、ここで、測定されるインピーダンスが、連結した論理リソースによって分析され、組織型または組織状態を特徴付けるために使用される、装置。
【請求項２】  前記インピーダンスの特徴付けが、ベクトルインピーダンスの特徴付けであり、前記アレイの少なくとも一部分は、選択可能な組織部位内のインピーダンスベクトルを検出するように構成されている、請求項１に記載の装置。
【請求項３】  前記インピーダンスの特徴付けが、複数経路インピーダンス特徴付けであり、前記アレイの少なくとも一部分は、複数の導電性経路を介して組織インピーダンスをサンプリングするように構成されている、請求項１に記載の装置。
【請求項４】  前記複数の導電性経路が、サンプル容量内で実質的に均一に分布しているかまたは空間を空けていることが確認されている、請求項３に記載の装置。
【請求項５】  前記複数の感知部材が、第一感知部材、第二感知部材、および第三感知部材を備える、請求項１〜４のいずれか一項に記載の装置。
【請求項６】  前記感知部材の少なくとも１つが、複素インピーダンスの検出を改善するように構成された抵抗勾配を有する、請求項１〜５のいずれか一項に記載の装置。
【請求項７】  前記抵抗勾配が、前記感知部材の長さに沿ってであり、そして該感知部材の長さに沿う抵抗損失またはヒステリシスを補償するように構成されている、請求項６に記載の装置。
【請求項８】  前記アレイの少なくとも一部が、細胞内インピーダンス、間質性インピーダンス、または細胞間キャパシタンスのうちの少なくとも１つを検出するように構成されている、請求項１〜７のいずれか一項に記載の装置。
【請求項９】  前記アレイが、サンプル容量内でのインピーダンスの位置を決定するように構成されている、請求項１〜８のいずれか一項に記載の装置。
【請求項１０】  前記アレイが、第一組織部位の第一インピーダンスプロフィールおよび第二組織部位の第二インピーダンスプロフィールを、実質的に同時に測定するように構成されている、請求項１〜９のいずれか一項に記載の装置。
【請求項１１】  前記第一組織部位の第一経路が、前記第二組織部位の第二経路に対して選択可能な角度で位置している、請求項１０に記載の装置。
【請求項１２】  前記第一経路および第二経路が、共通のセグメントを有さない、請求項１１に記載の装置。
【請求項１３】  前記第一経路および第二経路が、共通の起点を有する、請求項１１に記載の装置。
【請求項１４】  前記第一経路および第二経路が、実質的に同じ経路を有し、該第二経路が、該第一経路に対して逆方向である、請求項１３に記載の装置。
【請求項１５】  前記アレイが、細胞壊死の指標、組織切除容量、細胞壊死容量、組織の熱的容量、または組織の体温上昇容量のうちの少なくとも１つを検出するように構成されている、請求項１〜１４のいずれか一項に記載の装置。
【請求項１６】  前記論理リソースが、プロセッサを備える、請求項１〜１５のいずれか一項に記載の装置。
【請求項１７】  前記論理リソースが、切除周波数とは異なる周波数で、組織インピーダンスまたは複素インピーダンスを検出または分析するように構成されている、請求項１〜１６のいずれか一項に記載の装置。
【請求項１８】  前記論理リソースが、組織状態を同定するように、または前記アレイからのインピーダンスシグナルに応答性の組織を区別するように構成されている、請求項１〜１７のいずれか一項に記載の装置。
【請求項１９】  前記論理リソースが、周波数スペクトルと比較して増加した組織状態感受性を有する周波数でインピーダンスシグナルを分析するように構成されている、請求項１〜１８のいずれか一項に記載の装置。
【請求項２０】  前記論理リソースが、正常組織と異常組織との間を識別するように構成され、該異常組織が、異常に変異した組織、異常に分裂した組織、癌性組織、転移性組織、または低酸素組織のうちの少なくとも１つを含む、請求項１〜１９のいずれか一項に記載の装置。
【請求項２１】  前記論理リソースが、壊死組織と非壊死組織との間を識別するように構成されている、請求項１〜２０のいずれか一項に記載の装置。
【請求項２２】  前記論理リソースが、インピーダンス曲線の変曲点、漸近線、最小値または最大値のうちの１つを同定するように構成されている、請求項１〜２１のいずれか一項に記載の装置。
【請求項２３】  前記論理リソースが、前記インピーダンス曲線の前記変曲点、前記漸近線、前記最小値または前記最大値のうちの少なくとも１つを利用して、終点、組織損傷の量または組織型のうちの少なくとも１つを同定するように構成されている、請求項２２に記載の装置。
【請求項２４】  前記論理リソースが、前記アレイからのインピーダンスシグナルに応答性の切除手順についての終点を同定するように構成されている、請求項１〜２３のいずれか一項に記載の装置。
【請求項２５】  前記測定されるインピーダンスが、細胞内インピーダンス、間質性インピーダンス、細胞間キャパシタンス、または複素インピーダンスのうちの少なくとも１つを含み、前記論理リソースが、間質性インピーダンス対細胞間インピーダンス、実数インピーダンス対虚数インピーダンス、またはインピーダンス対キャパシタンスのうちの少なくとも１つを含むインピーダンス比のうちの少なくとも１つを利用して、組織状態を同定するように構成されている、請求項１〜２４のいずれか一項に記載の装置。
【請求項２６】  前記測定されるインピーダンスが、複素インピーダンスであり、そして前記論理リソースが、複素インピーダンスの実数成分および虚数成分を利用して組織状態を同定するように構成されている、請求項１〜２５のいずれか一項に記載の装置。
【請求項２７】  前記論理リソースが、第一組織部位のインピーダンスと第二組織部位のインピーダンスとを比較するように構成されている、請求項１〜２６のいずれか一項に記載の装置。
【請求項２８】  前記アレイが、インピーダンスベクトルの実数成分および虚数成分、または該インピーダンスベクトルの大きさおよび位相角を検出するように構成されている、請求項２に記載の装置。
【請求項２９】  請求項１〜２８のいずれか一項に記載の装置であって、さらに以下：
前記アレイに連結した前進部材であって、該前進部材は、作動可能な部分を備え、該前進部材は、該アレイの少なくとも一部の展開を制御するように構成されている、前進部材、
を備える、装置。
【請求項３０】  前記インピーダンスアレイの少なくとも一部分は、複数の導電性経路を介して複素組織インピーダンスをサンプリングし、腫瘍性組織または細胞壊死のうちの少なくとも１つの指標を検出または測定するように構成されている、装置。
【請求項３１】  装置であって、該装置は、以下：
細長送達デバイス（１２）；
該細長送達デバイスから展開可能な複数の感知部材（２２ｍ）を含むアレイ；および
該複数の感知部材に操作可能に接続された切り替えデバイスであって、該切り替えデバイスが、該感知部材をオンまたはオフに選択的に切り替えるためのものである、切り替えデバイス、
を備え、ここで、該装置が、組織型または組織状態を特徴付けるために構成されている、装置。